【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
充填剤入り組成物であって、支持体、機能性フィラー、及び充填剤入り組成物の臭気を減じるための無機添加剤を含み、前記無機添加剤が、前記無機添加剤を欠く充填剤入り組成物の臭気を減じるのに十分な量で存在し、前記機能性フィラーが、鉱物質フィラーであり、且つ、フィロケイ酸塩鉱物を含むか、本質的にフィロケイ酸塩鉱物からなるか、若しくはフィロケイ酸塩鉱物からなるか、又はフィロケイ酸塩鉱物であり、前記無機添加物が、前記機能性フィラー以外の鉱物質添加剤であり、前記無機添加剤が、ウォラストナイト以外のシリカ含有又はシリケート鉱物である、前記充填剤入り組成物。
【請求項２】
前記鉱物質添加剤が、珪藻土若しくはケイ酸カルシウム、又はこれらの組合せであり、例えば、フラックス焼成された珪藻土若しくは合成ケイ酸カルシウム、又はこれらの組合せである、請求項１に記載の充填剤入り組成物。
【請求項３】
前記無機添加剤が、
（Ａ）前記充填剤入り組成物の臭気を、
ａ．少なくとも約１０％、例えば少なくとも約２５％、又は
ｂ．標準的なＶＤＡ ２７０に従って少なくとも約０．５単位、例えば標準的なＶＤＡ ２７０に従って少なくとも約１．０単位
減じるのに十分な量で、及び／又は
（Ｂ）前記充填剤入り組成物の剛性を高めるのに十分な量で、例えば前記充填剤入りポリマー組成物の剛性を、
ｉ．少なくとも約０．２％、例えば少なくとも約２．０%、又は
ｉｉ．少なくとも約５ＭＰａ、例えば少なくとも約５０ＭＰａ
高めるのに十分な量で
存在する、請求項１又は２に記載の充填剤入り組成物。
【請求項４】
（ａ）前記無機添加剤が、前記充填剤入り組成物の全質量を基準として、少なくとも約０．５質量％、例えば少なくとも約０．７５質量％又は少なくとも約１．０質量％の量で存在する、及び／又は（ｂ）前記機能性フィラー、例えば鉱物質フィラーが、前記充填剤入り組成物の全質量を基準として、少なくとも約１０質量％の量で存在する、請求項１〜３のいずれか１項に記載の充填剤入り組成物。
【請求項５】
前記フィロケイ酸塩鉱物が、タルク、例えばＨＡＲタルク又は微粉化タルクである、請求項１〜４のいずれか１項に記載の充填剤入り組成物。
【請求項６】
前記機能性フィラーが、ガラス繊維を含む、請求項１〜５のいずれか１項に記載の充填剤入り組成物。
【請求項７】
前記機能性フィラーが、表面処理されている、請求項１〜６のいずれか１項に記載の充填剤入り組成物。
【請求項８】
前記支持体が、前記充填剤入り組成物の全質量を基準として、少なくとも約５０質量％の量で存在する、請求項１〜７のいずれか１項に記載の充填剤入り組成物。
【請求項９】
前記支持体が、ポリマー、塗料若しくは塗料ベース、紙、板紙、又は複合材である、例えば前記支持体が、（ａ）ポリプロピレンを含んでもよいか、本質的にポリプロピレンからなってもよいか、若しくはポリプロピレンからなってもよいか、又はポリプロピレンであってもよい、ポリマーである、又は（ｂ）ポリマーのブレンド、例えばエスラトマーを含むポリマーのブレンドである、請求項１〜８のいずれか１項に記載の充填剤入り組成物。
【請求項１０】
支持体及び鉱物質フィラーを含有する充填剤入り組成物の臭気を減じるための無機添加剤の使用であって、前記無機添加剤が、ウォラストナイト以外のシリカ含有又はシリケート鉱物であり、前記無機添加剤、鉱物質フィラー及び／又は支持体が、請求項１〜９のいずれか１項において定義されるものであってもよい、前記使用。
【請求項１１】
支持体及び鉱物質フィラーを含有する充填剤入り組成物の臭気を減じ、且つその剛性を高めるための無機添加剤の使用であって、前記無機添加剤、鉱物質フィラー及び／又は支持体が、請求項１〜９のいずれか1項において定義されるものであってもよい、前記使用。
【請求項１２】
支持体及び鉱物質フィラーを含む充填剤入り組成物の臭気を減じる方法であって、前記充填剤入り組成物に、前記充填剤入り組成物の臭気を減じるための無機添加剤を添加する工程を含み、前記無機添加剤が、ウォラストナイト以外のシリカ含有又はシリケート鉱物であり、前記無機添加剤、鉱物質フィラー及び／又は支持体が、請求項１〜９のいずれか１項において定義されるものであってもよい、前記方法。
【請求項１３】
充填剤入り組成物の製造方法であって、前記方法が、支持体と、機能性フィラーと、十分な量の、前記充填剤入り組成物の臭気を減じるための無機添加剤とを混ぜ合せて、前記無機添加剤を含む前記充填剤入り組成物の臭気を、前記無機添加剤を欠く充填剤入り組成物と比較して低下させる工程を含み、前記機能性フィラーが、鉱物質フィラーであり、且つ、フィロケイ酸塩鉱物を含むか、本質的にフィロケイ酸塩鉱物からなるか、若しくはフィロケイ酸塩鉱物からなるか、又はフィロケイ酸塩鉱物であり、前記無機添加物が、前記機能性フィラー以外の鉱物質添加剤であり、前記無機添加剤が、ウォラストナイト以外のシリカ含有又はシリケート鉱物であり、前記無機添加剤、鉱物質フィラー及び／又は支持体が、請求項１〜９のいずれか１項において定義されるものであってもよい、前記方法。
【請求項１４】
前記方法が、（ａ）前記支持体、例えばポリマー、機能性フィラー、例えば鉱物質フィラー、及び無機添加剤を、場合により加工助剤と共に配合する工程、及び／又は（ｂ）例えば押出し又は成型することにより、前記充填剤入り組成物から物品を形成する工程を含む、請求項１３に記載の方法。
【請求項１５】
請求項１〜９のいずれか１項に記載の前記充填剤入り組成物から形成される、又は請求項１２〜１４のいずれか１項に記載の方法により得られる、物品であって、自動車内装物品、例えばダッシュボード、内装トリム、又は内装用車体パネルであってもよい、物品。
【手続補正２】
【補正対象書類名】明細書
【補正対象項目名】００４７
【補正方法】変更
【補正の内容】
【００４７】
【表１】
2018531293.tif 000001
本発明の好ましい態様は、下記の通りである。
〔１〕充填剤入り組成物であって、支持体、機能性フィラー、及び充填剤入り組成物の臭気を減じるための無機添加剤を含み、前記無機添加剤が、前記無機添加剤を欠く充填剤入り組成物の臭気を減じるのに十分な量で存在する、前記充填剤入り組成物。
〔２〕前記無機添加剤が、前記機能性フィラー以外の鉱物質添加剤である、前記〔１〕に記載の充填剤入り組成物。
〔３〕前記機能性フィラーが、鉱物質フィラーである、前記〔１〕又は〔２〕に記載の充填剤入り組成物。
〔４〕前記鉱物質添加剤が、ウォラストナイト以外のシリカ含有又はシリケート鉱物である、前記〔２〕又は〔３〕に記載の充填剤入り組成物。
〔５〕前記鉱物質添加剤が、珪藻土若しくはケイ酸カルシウム、又はこれらの組合せである、前記〔４〕に記載の充填剤入り組成物。
〔６〕添加剤が、フラックス焼成された珪藻土若しくは合成ケイ酸カルシウム、又はこれらの組合せである、前記〔５〕に記載の充填剤入り組成物。
〔７〕前記無機添加剤が、前記充填剤入り組成物の臭気を、
ａ．少なくとも約１０％、例えば少なくとも約２５％、又は
ｂ．標準的なＶＤＡ ２７０に従って少なくとも約０．５単位、例えば標準的なＶＤＡ ２７０に従って少なくとも約１．０単位
減じるのに十分な量で存在する、前記〔１〕〜〔６〕のいずれか１項に記載の充填剤入り組成物。
〔８〕前記無機添加剤が、前記充填剤入り組成物の剛性を高めるのに十分な量で、例えば前記充填剤入りポリマー組成物の剛性を、
ｉ．少なくとも約０．２％、例えば少なくとも約２．０%、又は
ｉｉ．少なくとも約５ＭＰａ、例えば少なくとも約５０ＭＰａ
高めるのに十分な量で存在する、前記〔１〕〜〔７〕のいずれか１項に記載の充填剤入り組成物。
〔９〕前記無機添加剤が、前記充填剤入り組成物の全質量を基準として、少なくとも約０．５質量％の量で存在する、前記〔１〕〜〔８〕のいずれか１項に記載の充填剤入り組成物。
〔１０〕前記無機添加剤が、少なくとも約０．７５質量％、例えば少なくとも約１．０質量％の量で存在する、前記〔９〕に記載の充填剤入り組成物。
〔１１〕前記機能性フィラー、例えば鉱物質フィラーが、前記充填剤入り組成物の全質量を基準として、少なくとも約１０質量％の量で存在する、前記〔１〕〜〔１０〕のいずれか１項に記載の充填剤入り組成物。
〔１２〕前記機能性フィラーが、鉱物質フィラーであり、且つ、フィロケイ酸塩鉱物を含むか、本質的にフィロケイ酸塩鉱物からなるか、若しくはフィロケイ酸塩鉱物からなるか、又はフィロケイ酸塩鉱物である、前記〔１〕〜〔１１〕のいずれか１項に記載の充填剤入り組成物。
〔１３〕前記フィロケイ酸塩鉱物が、タルクである、前記〔１２〕に記載の充填剤入り組成物。
〔１４〕前記タルクが、ＨＡＲタルク又は微粉化タルクである、前記〔１３〕に記載の充填剤入り組成物。
〔１５〕前記機能性フィラーが、ガラス繊維を含むか、本質的にガラス繊維からなるか、若しくはガラス繊維からなるか、又はガラス繊維である、前記〔１〕〜〔１１〕のいずれか１項に記載の充填剤入り組成物。
〔１６〕前記機能性フィラーが、表面処理されている、前記〔１〕〜〔１５〕のいずれか１項に記載の充填剤入り組成物。
〔１７〕前記支持体が、前記充填剤入り組成物の全質量を基準として、少なくとも約５０質量％の量で存在する、前記〔１〕〜〔１６〕のいずれか１項に記載の充填剤入り組成物。
〔１８〕前記支持体が、ポリマー、塗料若しくは塗料ベース、紙、板紙、又は複合材である、前記〔１〕〜〔１７〕のいずれか１項に記載の充填剤入り組成物。
〔１９〕前記支持体が、ポリマーである、前記〔１８〕に記載の充填剤入り組成物。
〔２０〕前記ポリマーが、ポリプロピレンを含むか、本質的にポリプロピレンからなるか、若しくはポリプロピレンからなるか、又はポリプロピレンである、前記〔１９〕に記載の充填剤入りポリマー組成物。
〔２１〕前記支持体が、ポリマーのブレンド、例えばエスラトマーを含むポリマーのブレンドである、前記〔１９〕に記載の充填剤入り組成物。
〔２２〕支持体を含む組成物の臭気を減じるための無機添加剤の使用であって、前記無機添加剤及び／又は支持体が、前記〔１〕〜〔２１〕のいずれか１項において定義されるものであり、前記無機添加剤が、ウォラストナイト及び／又はタルク以外のものである、前記使用。
〔２３〕支持体及び鉱物質フィラーを含有する充填剤入り組成物の臭気を減じるための無機添加剤の使用であって、前記無機添加剤、鉱物質フィラー及び／又は支持体が、前記〔１〕〜〔２１〕のいずれか１項において定義されるものである、前記使用。
〔２４〕支持体を含有する組成物の臭気を減じるための、表面処理された機能性フィラーの使用であって、前記機能性フィラー、表面処理及び支持体が、前記〔１〕〜〔２１〕のいずれか１項において定義されるものである、前記使用。
〔２５〕支持体及び鉱物質フィラーを含有する充填剤入り組成物の臭気を減じ、且つその剛性を高めるための無機添加剤の使用であって、前記無機添加剤、鉱物質フィラー及び／又は支持体が、前記〔１〕〜〔２１〕のいずれか1項において定義されるものである、前記使用。
〔２６〕支持体及び鉱物質フィラーを含む充填剤入り組成物の臭気を減じる方法であって、前記充填剤入り組成物に、前記〔１〕〜〔２１〕のいずれか１項において定義される、前記充填剤入り組成物の臭気を減じるための無機添加剤を添加する工程を含む、前記方法。
〔２７〕機能性組成物、例えば塗料又は塗料ベース、プラスチック、ゴム、フォーム、複合材等からの放出物を減じるための、前記〔１〕〜〔２１〕のいずれか１項において定義される無機添加剤の使用であって、前記機能性組成物が、フィラーとしてタルクを含んでもよい、前記使用。
〔２８〕充填剤入り組成物の製造方法であって、前記方法が、支持体と、機能性フィラーと、十分な量の、前記充填剤入り組成物の臭気を減じるための無機添加剤とを混ぜ合せて、前記無機添加剤を含む前記充填剤入り組成物の臭気を、前記無機添加剤を欠く充填剤入り組成物と比較して低下させる工程を含む、前記方法。
〔２９〕組成物の製造方法であって、前記方法が、支持体と、十分な量の、前記充填剤入り組成物の臭気を減じるための無機添加剤とを混ぜ合せて、前記無機添加剤を含む前記組成物の臭気を、前記無機添加剤を欠く充填剤入り組成物と比較して低下させる工程を含む、前記方法。
〔３０〕組成物の製造方法であって、前記方法が、支持体と、十分な量の表面処理された機能性フィラーとを混ぜ合せて、前記組成物の臭気を、前記表面処理された機能性フィラーを欠く組成物と比較して低下させる工程を含む、前記方法。
〔３１〕前記無機添加剤、機能性フィラー及び支持体が、前記〔１〕〜〔２１〕のいずれか１項において定義されるものである、前記〔２８〕、〔２９〕又は〔３０〕に記載の方法。
〔３２〕前記方法が、前記支持体、例えばポリマー、機能性フィラー、例えば鉱物質フィラー、及び無機添加剤を、場合により加工助剤と共に配合する工程を含む、前記〔２８〕〜〔３１〕のいずれか１項に記載の方法。
〔３３〕例えば押出し又は成型することにより、前記充填剤入り組成物から物品を形成する工程を更に含む、前記〔２８〕〜〔３２〕のいずれか１項に記載の方法。
〔３４〕前記〔１〕〜〔２１〕のいずれか１項に記載の前記充填剤入り組成物から形成される、又は前記〔２３〕〜〔３３〕のいずれか１項に記載の方法により得られる、物品。
〔３５〕自動車内装物品、例えばダッシュボード、内装トリム、又は内装用車体パネルである、前記〔３４〕に記載の物品。
〔３６〕表面処理されたフィラー、例えば鉱物質フィラーの、支持体を含む組成物における、前記組成物のＵＶ安定性を維持し、向上させ又は改善するための使用であって、前記フィラーがタルクである場合に、前記タルクは、１．０を超える、例えば少なくとも約１．５、又は少なくとも約２．０、又は少なくとも約２．５のラメラリティーインデックスを有する粒状形態にある、前記使用。
〔３７〕表面処理されたフィラー、例えば鉱物質フィラーの、支持体を含む組成物における、ＵＶ輻射線に暴露された際の前記組成物の分解を阻害し又は減じるための使用であって、前記鉱物質フィラーがタルクである場合、前記タルクが、１．０を超える、例えば少なくとも約１．５、又は少なくとも約２．０、又は少なくとも約２．５のラメラリティーインデックスを有する粒状形態にある、前記使用。
〔３８〕前記フィラーが、粒状形態にある鉱物質フィラーであり、前記鉱物質フィラーが、ＨＡＲ鉱物質フィラーであってもよい、前記〔３６〕又は〔３７〕に記載の使用。
〔３９〕前記鉱物質フィラーが、ＨＡＲタルクである、前記〔３６〕〜〔３８〕のいずれか１項に記載の使用。
〔４０〕前記支持体が、ポリマー若しくはポリマーブレンド若しくはポリマーとエスラトマーとのブレンド、塗料若しくは塗料ベース、紙、板紙又は複合材である、前記〔３６〕〜〔３９〕のいずれか１項に記載の使用。
〔４１〕前記支持体が、ポリマー、又はポリマーブレンド、又はポリマーとエラストマーとのブレンドである、前記〔４０〕に記載の使用。
〔４２〕前記ポリマー又はポリマーブレンド又はポリマーとエラストマーとのブレンドが、ポリプロピレンを含む、前記〔４１〕に記載の使用。
〔４３〕前記支持体が、ポリマーであり、前記ポリマーが、ポリプロピレンを含むか、本質的にポリプロピレンからなるか、若しくはポリプロピレンからなるか、又はポリプロピレンである、前記〔４１〕に記載の使用。
〔４４〕前記組成物が、前記ポリマー、又はポリマーブレンド、又はポリマーとエラストマーとのブレンドから形成された物品の形態にある、前記〔４０〕〜〔４３〕のいずれか１項に記載の使用。
〔４５〕前記物品が、自動車部品、例えば内装又は外装部品、例えばダッシュボード、内装トリム、及び内装用車体パネルである、前記〔４４〕に記載の使用。
〔４６〕前記表面処理されたフィラーが、前記充填剤入り組成物の全質量を基準として、少なくとも約１０質量％の量で存在する、前記〔３６〕〜〔４５〕のいずれか１項に記載の使用。
〔４７〕前記支持体が、前記充填剤入り組成物の全質量を基準として、少なくとも約５０質量％の量で存在する、前記〔３６〕〜〔４６〕のいずれか１項に記載の使用。
〔４８〕前記表面処理が、有機成分を含むか、又は有機成分である、前記〔３６〕〜〔４７〕のいずれか１項に記載の使用。
〔４９〕前記表面処理が、ポリアルキレングリコール、例えばポリエチレングリコール、又はアルキルスルホネート、例えばＣ10〜Ｃ20アルキルスルホネート、若しくはＣ14〜Ｃ17アルキルスルホネートを含むか、又はポリアルキレングリコール、例えばポリエチレングリコール、又はアルキルスルホネート、例えばＣ10〜Ｃ20アルキルスルホネート、若しくはＣ14〜Ｃ17アルキルスルホネートである、前記〔４８〕に記載の使用。